(57)【要約】      （修正有）【課題】キーボードのキー配列は機械式タイプライターの影響をうけて、配列が若干ずれている。このずれによる入力時に各指を移動するときのストレスを解決する。【解決手段】パソコンキーボードのホームポジションホームキーＡのキー、Ｓのキー、Ｄのキー、Ｆのキー、Ｊのキー、Ｋのキー、；のキー各キーに突起を設ける。ホームキーのＦのキーとＪのキーを基点にして斜めのキー、各キーに突起を設ける。Ｖ、Ｆ、Ｒ、４の配列とＭ、Ｊ、Ｕ、７、の配列をセカンドホームキーと決める。Ａ、Ｓ、Ｄ、ＦとＪ、Ｋ、Ｌ、；はホームキーである。ホームキーとセカンドホームキーに突起を設ける。【選択図】図３
2005235158.tif 000002
【特許請求の範囲】
【請求項１】
パソコンキーボードで文字入力時に、ホームキーに各指を置くときに各指の位置がずれやすく、又キーボードキーが斜め配列のため、各指を斜め移動しなければならず、ストレスを感じる、ストレスを軽減するため、キーボードの一定の配列のキーに突起を設ける、尚且つ、キーの突起は各指に刺激を与えて、触覚によって、脳細胞の伝達効率を高め、且つ、文字入力時に感じる疲労とストレスを軽減することを目的とする。
【発明の詳細な説明】
【技術分野】
【０００１】本発明はパソコンキーボードで文字入力時に感じるストレスを軽減し、且つ、脳細胞の伝達効率の向上を目的とする、パソコン用キーボードに関するものである。
【背景技術】
【０００２】従来のパソコンキーボードはキーに全く、突起を設けていないものか、Ｆのキー、とＪのキーに直線の突起を設けて、キー全体の中心の位置を確認するためのキーボードはあった。
【発明が解決しようとする課題】
【０００３】（１）最近コンピューター作業による、ストレスが、脳にかなり良くない影響を与え、人間の健康を損ね、人間の精神面にも悪い影響を与えている。
（２）今日のパソコンの電子式キーボードの配列は現在でも、旧来の機械式タイプライターの影響を受けて、タイプライターと同様の配列になっている。
数の段、上段、中段、下段、の各キーの位置が、斜めに、若干ずれている、各指を斜めに移動しなければならない、形態になっている、各指の斜め移動のしにくくさ、尚且つ、ホームキーに各指を置くときに、位置がずれやすく、誤って、打鍵する、これらが疲労となって、ストレスの原因になる。
従来のパソコンキーボードＦのキーとＪのキーに直線を設けた、本来の目的は、キー全体の中心の位置が確認できるが、各指の斜め移動によるストレスの軽減することは、できない、又キーに突起のないキーボードもあるが、キーボード、で文字入力時にストレスを溜める。
（３）パソコンキーボードで文字入力時に、人差指と右手の小指の守備範囲は他の指に比較して、数が多く広い、キーボードで文字入力時に、キーに基準点がないと、かなりのストレスになる。
【課題を解決するための手段】
【０００４】上記の欠点を鑑み本発明は、なされたものである。
両手の人差指、中指、薬指、小指、のホームキーに突起を設ける、且つ、ホームキーのＦのキーとＪのキーを基点にして、斜め、下段、中段、上段、数の段の各キーに突起を設ける、尚且つ、ホームキーから離れて、よくつかうキーに突起を設けた構造とする。
ホームポジションを基本配列ホームキーと定め、この配列に対して、ホームキーのＦのキーとＪのキーを基本とした、斜め、上段、中段、下段、数の段、の斜め配列を準基本配列セカンドホームキーと決める。
【発明を実施するための最良の形態】
【０００５】図Ｉ、図２、図３、図４、図５、は本発明の実施形態を示している、この図をもとにして説明する。
（１）図Ｉはパソコンキーボード入力用キーである、ホームキー、Ａのキー、Ｓのキー、Ｄのキー、Ｆのキー、とＪのキー、Ｋのキー、Ｌのキー、；のキー、各キーに突起を設ける。
（２）図２、ホームキーＦのキーとＪのキーを基点にして、Ｖのキー、Ｒのキー、４のキー、Ｍのキー、Ｕのキー、７のキー各キーに突起を設ける。
（３）図３、はホームキーから離れて、文字入力時よくつかう、Ｄｅｌｅｔｅキー、Ｂａｃｋ、Ｓｐａｃｅ、キー、ＥＳＣキー各キーに突起を設ける。
（４）図４、両手の人差指、中指、薬指、小指、の各指の役割分担を示す図である。
（５）図５突起つきキーの詳細図である。
【発明の効果】
【０００６】（１）突起つきキーの触覚の効果を脳科学の面から説明する。
脳の働きは、遺伝子で決まっていると云われているが、現在の脳科学ではむしろ、環境的要因が大きく、かかわっていると云われている。
物を認識するには、こちらから積極的に働きかけて、認識できると考えられている。今日では、機能的（ファンクショナル）ＭＲＩの開発によって、脳細胞に積極的に働きかけて、脳の変化の様子が解明されてきている。
（２）機能的ＭＲＩについて少し説明する。
脳の細胞は血液中の酸素で活動している。
その酸素は血液中のヘモクロビンが運んでくる、脳の細胞が盛んに働く所は血流量も多くなる、ヘモクロビンの性質を利用して、脳細胞が盛んに働いている部位を画像化するこれが機能的ＭＲＩである。
（ａ）ピアニストの脳の指の働きをつかさどっている、運動部位が大きく増えていると言われている。
キーボードの突起つきキーが手の指に与える触覚について考えてみる。
触覚の反応は、今まではただ与えられたものを受動的に受け取る感覚すなわち知覚であると考えられてきた、しかし、今日ではこちらから積極的に働きかけて、獲得する感覚アクテイブタッチであると考えられている。
（ａ）記載のアクテイブタッチについて説明する。
ある脳細胞は硬いものに触れると反応し、ある細胞は全く反応しない、又ある細胞は柔らかいものに触れると反応し、ある細胞は全く反応しない、これは対象の特徴をとり出すニューロン（ｎｅｕｒｏｎ）樹状突起軸索突起からなる細胞があると考えられている。これは脳細胞にこちらから、刺激を与えると、樹状突起をどんどんのばしていくと考えられている。しかしこのニューロンは積極的に働きかけない限り、反応しないと考えられている。
（ｂ）触覚には受動的な感覚と能動的な感覚があることは（ａ）記載で述べた。
ここではこちらから積極的に手の指にキーの突起の触覚を与えて脳細胞にどのような影響を与えるか述べてみる。能動的に獲得する感覚について考える、一般に脳神経細胞は無数の入力路（シナプス）があって、それぞれ競合しあって、軸索で連結されていて、神経回路網になっていると云われている。シナプスを通して、信号が入った時その細胞が刺激されて、興奮したときにはシナプスの結合が強化され、信号が入っても、刺激がなくその細胞が興奮しないときは、シナプスの結合が弱くなる。シナプスは反復刺激によって、シナプスの結合が強化されて、脳細胞の伝達効率が向上する。
（ａ）と（ｂ）記載の能動的な手の指の触覚の効果をキーボードのキーに突起を設けることによって、脳細胞の伝達効率の向上を高める効果がある。
（１）図１は、ホームキーに各指を置くときに位置の確認が可能でありずれることがない。
尚且つ、ホームキーの突起つきキーを基点にして、数の段、上段、下段の各キーが位置が確認しやすく、各指が移動しやすい効果がある。
（２）図２、ＦのキーとＪのキーを基点にして、各指を斜めに移動するときに、位置の確認がしやすく、尚且つ、突起つき各キーの左隣のキー、右隣のキーの位置が確認しやすく覚えやすい効果がある。
（１）図１  ；のキーに突起があると、右手の小指の打鍵する範囲は広いので、；のキに突起があると突起つき；のキを基点にして他のキーに移動しやすい。
（３）図３  ホームキーから離れたＢａｃｋＳｐａｃｅキー、Ｄｅｌｅｔｅキー、ＥＳＣキーに突起があると、位置が確認しやすく、ずれがない効果がある。
（４）図４  両手の各指が役割分担によって、各指がそれぞれ使える。
（５）図５  キーの突起は手の指が突起に触れることによって、ここちよい触覚を脳神経細胞に与えて、神経細胞の伝達効率を向上させる効果がある。
【実施例】
【０００７】発明者である、本人の実施例について説明する、私は高齢者の１人である、パソコンは苦手な年代である、キーボードのキーは１００個以上もある、キーを見ただけで、ストレスが溜ってしまう、しかし、入力作業にはキーボードにお世話にならなければならない、避けて通れない、疲労が重なって大きなストレスになった、しかし本考案でキーボードと仲よくなり楽しくなった。
【発業上の利用の可能性】
【０００８】（１）政府はユビキタス社会をめざしている、コンピューターは私達の日常生活に深かくかかわってきた。高齢者が、パソコンに挑戦する人が多くなった、しかし折角はじめた、パソコンも入力作業が苦痛になり、途中でやめてしまう方も少くない、折角購入した、高価なパソコンも埃をかぶっている人も多い。高齢者のみならず、パソコンの文字入力が苦手人は潜在的にかなりな多い。
ビジネスマンは時間に追われ、報告書の提出期限は待ったなし、ＳＯＨＯ独立して自宅で仕事をやっている方にとって厳しい納期がついて廻る、納期が迫ってくると、かなりのストレスを感じる、入力作業がもっと効率よく、できたらなあーと深く嘆息する人も少くない。
パソコンはかなり熟知して居り、かなりの経験が長い方でも文字入は両手の人差指一本でキーをたたいている方も多くいる。潜在的需要はある。
（２）突起つきキーのあるパソコンキーボードの開発費と製造原価について説明する。
開発費は安価である。
製造原価は安価である。
開発期間も短期で製品化が可能である。
【図面の簡単な説明】
【０００９】
【図１】ホームポジションホームキーＡのキー、Ｓのキー、Ｄのキー、Ｆのキー、Ｊのキー、Ｋのキー、Ｌのキー、；のキー、各キに突起を設けた基本配列ホームキー。
【図２】セカンドホームキー、Ｖのキー、Ｆのキー、Ｒのキー、４のキー、Ｍのキー、Ｊのキー、Ｕのキー、７のキー、各キーに突起を設けた準基本配列セカンドホームキー、
【図３】左手の人差指、中指、薬指、小指、右手の人差指、中指、薬指、小指、上記各指の役割分担を示している。
【図４】ホームキーから離れたキー、
【図５】キー、突起
【符号の説明】
【００１０】Ｉ  基本配列ホームキー、
２  準基本配列セカンドームキー、
３  右手と左手の指の役割分担
４  ホームキーから離れたキー
５  キー、突起
【図１】
2005235158.tif 000003
【図２】
2005235158.tif 000004
【図３】
2005235158.tif 000005
【図４】
2005235158.tif 000006
【図５】
2005235158.tif 000007